(57)【要約】【課題】余計な部品が無くても輸送あるいは運搬時に姿勢が安定していて，使用後に再使用や廃棄のために移動や運送する際，嵩張らなく製造コストや物流コストを削減可能とするウォーターディスペンサー用のボトルを提供することである。【解決手段】上端部に首状の飲料水の排出口３を設け下端部を底面７とする円筒状で，ウォーターディスペンサーに逆さに搭載して飲料水を供給するための熱可塑性樹脂製ボトルであって，そのボトル１の胴体の外周と内周とが水平方向の環状の山部４と谷部５との蛇腹状の折り畳み部６として形成されるボトル本体２と，そのボトル本体２から取り外し可能である枠体８とから構成され，その枠体８をボトル本体２内に飲料水が充填された状態で山部４と谷部５に嵌合する形状の上側保持部９と下側保持部１０及びその上側保持部９と下側保持部１０とを連結した把手状の連結部１１とから成る構造としたものである。【選択図】図１
0003127762.tif 000002
【実用新案登録請求の範囲】
【請求項１】
上端部に首状の飲料水の排出口を設け下端部を底面とする円筒状で，ウォーターディスペンサーに逆さに搭載して飲料水を供給するための熱可塑性樹脂製ボトルであって，そのボトルの胴体の外周と内周とが水平方向の環状の山部と谷部との蛇腹状の折り畳み部として形成されるボトル本体と，そのボトル本体から取り外し可能である枠体とから構成され，その枠体を前記ボトル本体内に飲料水が充填された状態で前記山部と谷部に嵌合する形状の上側保持部と下側保持部及びその上側保持部と下側保持部とを連結した把手状の連結部とから成る構造としたことを特徴とするウォーターディスペンサー用ボトル。
【請求項２】
請求項１記載のボトル本体において，前記山部と谷部の各々の径は，前記上端部から下端部に向かって順次小さくなっていることを特徴とするウォーターディスペンサー用ボトル。
【請求項３】
請求項１または請求項２記載のウォーターディスペンサー用ボトルにおいて，前記折り畳み部が折り畳まれた状態で前記排出口から前記底部に亙って結束するための前記ボトル結束用バンドであって，前記排出口に被せるリング部と，そのリング部の対向する側に帯状の屈曲可能な帯で少なくともその帯の一部が重なる構造とした重なり部を備えた帯部と，その重なり部の重なったその帯同士を締結するための着脱可能な締結部を設けたことを特徴とするボトル結束用バンド。
【考案の詳細な説明】
【技術分野】
【０００１】  本考案は，ウォーターディスペンサーに逆さに搭載され飲料水等を供給するためのウォーターディスペンサー用ボトルと，それに使用するボトル結束用バンドに関する。
【背景技術】
【０００２】  ウォーターディスペンサーとして一般的に知られているものとして図８のものがある。ウォーターディスペンサー本体２０は，全体縦長の箱形をなし，ウォーターディスペンサー本体２０の前面部中央付近に冷水または温水，あるいは冷水と温水の抽出口２２，２３を備えており，その給水容器として，ウォーターディスペンサー本体２０の上面部２８に飲料水等を充填したボトル２６をボトルの排出口２７が下になるように逆さにして載置してある。【０００３】  このボトル２６には，例えば天然水と称するミネラルウォーター等の飲料水等が充填され，ボトルの排出口２７を図示しない密閉栓で封止した状態で，宅配便等により使用者の自宅まで配送され，使用後の空になったボトル２６が回収されるサービスがなされている。【０００４】  このボトル２６の排出口２７に設けられた密閉栓が，ボトルを逆さにしてウォーターディスペンサーの上面部２８に設けられたノズル状の取水口２５により破通されることで，ボトル内の飲料水等がウォーターディスペンサー本体２０内の図示しない貯水タンクに流下して，ウォーターディスペンサー本体２０内の図示しない冷却器で冷却あるいは加熱器で加熱され，冷水または温水として，各抽出口２２，２３から使用者によるコック２４の開閉操作により注出させることができる。【０００５】  このボトル２６が逆さに搭載されることで，ボトルの排出口２７を通ってボトル内に導入された空気により，ウォーターディスペンサー内の貯水タンク中の水位がボトルの排出口２７に達するまでボトル２６内の飲料水等が貯水タンク中に供給されることになる。ボトル２６はポリカーボネート等の硬質樹脂材でできた堅牢な構造になっているため変形しないので，ボトル２６内に残った飲料水等は，ボトル２６の外側の大気圧とボトル２６の内側の圧力との差圧によりボトル２６内に保持することができる。飲料水等が各抽出口２２，２３から抽出されると，貯水タンク中の水位がボトルの排出口２７より低くなるので，空気がボトル内に入り，貯水タンク中の水位がボトルの排出口２７に達するまで，ボトル２６から飲料水等が貯水タンク中に流入することを可能にする。【０００６】  ところで，上述したボトル２６は，堅牢な構造になっているので，ボトル２６が変形しないため，貯水タンク内に流入する飲料水等を適量にコントロールできている。このため，ボトル２６は使用前後で同一の大きさになっているため，嵩張る物とされていた。そして，このようなボトル２６は飲料水等メーカに返却され高圧水を使用して洗浄され再度使用されることになる。また，飲料メーカによる回収作業は，ボトル２６が嵩張るため，トラックの荷台等への積載効率が悪いものとされていた。さらに，ボトル２６を廃棄する場合であっても，嵩張ることから同様に廃棄のためのコストがかかってしまうという問題がある。【０００７】  そこで，堅牢なボトル２６の代わりに可撓性の有る薄肉な合成樹脂性の袋体を給水容器として使用したウォーターディスペンサーが特許文献１で提案されている。このウォーターディスペンサーは図９に示すように，従来のウォーターディスペンサーと同様に，ウォーターディスペンサー本体３０は全体縦長の箱形をなし，前面部中央付近に冷水と温水の各抽出口２２，２３を備えている。【０００８】  ウォーターディスペンサーの本体３０の上面部に，略正方形の平板状の載置部３１が設けてあり，載置部３１の中心に図示しない取水口を備えている。載置部３１の上面の各隅部には，アングル状のコーナー部材３３が突設され，結合穴３４が加工されている。【０００９】  ウォーターディスペンサー本体３０は，取水口から内部に取水し，ウォーターディスペンサー本体３０の内部に備えた図示しない冷却器や加熱器で適当温度になった飲料水等を，各対応する各抽出口２２，２３から使用者によるコック２４の開閉操作により注出させることができる。【００１０】  載置部３１の上面には，全体立方体形状の函形からなる給水容器３６が載置される。この給水容器３６の外側は段ボール材の収容函体３７となっており，内部に水タンク３８が収納されている。水タンク３８は，ナイロンフィルム等の可撓性を有する薄肉な合成樹脂材で成形された袋体からなり，内部に予め飲料水等が充填された状態で商品として流通している。そこで，水タンク３８の輸送あるいは運搬時に，収容函体３７の内部で水タンク３８の位置ズレを生じさせないよう，収容函体３７の内側面の隅部に隙間を形成するための囲み材３２が設けてある。さらに，水タンク３８の水量が外部から視認できるように透明プラスチックからなる視認窓３５を備えている。そして，給水容器３６はコーナー部材３３に加工された結合穴３４を使用して結合ビス３９で固定することで，給水容器３６をウォーターディスペンサー本体３０に安定的に固定している。【００１１】  従って，この発明では可撓性を有する薄肉な合成樹脂材で成形された袋体を給水容器である水タンク３８として使用することから，回収を要しない，かつ物流コストを削減可能とし，廃棄が容易な給水容器の提供ができる効果が有るといわれている。【００１２】  しかしながら，この発明による水タンク３８は，その特徴である可撓性があることから，飲料水を充填した状態で輸送あるいは運搬する場合であっても，あるいはウォーターディスペンサーで使用する場合であっても水タンク３８単体での使用ができず，水タンク３８の姿勢を安定させるために囲み材３２や収容函体３７を必要とし，更に水タンク３８の水量視認のための視認窓３５等を必要とすることから，製造コストが高くなるという問題がある。【００１３】
【特許文献１】特開２００１−０１９０９５号公報
【考案の開示】
【考案が解決しようとする課題】
【００１４】  そこで，本考案は，かかる問題を解消し，余計な部品が無くても輸送あるいは運搬時に姿勢が安定していて，使用後に再使用や廃棄のために移動や運送する際，嵩張らなく製造コストや物流コストを削減可能とするウォーターディスペンサー用のボトルを提供することである。
【課題を解決するための手段】
【００１５】  上記課題を達成するために，請求項１記載の考案は，上端部に首状の飲料水の排出口を設け下端部を底面とする円筒状で，ウォーターディスペンサーに逆さに搭載して飲料水を供給するための熱可塑性樹脂製ボトルであって，そのボトルの胴体の外周と内周とが水平方向の環状の山部と谷部との蛇腹状の折り畳み部として形成されるボトル本体と，そのボトル本体から取り外し可能である枠体とから構成され，その枠体を前記ボトル本体内に飲料水が充填された状態で前記山部と谷部に嵌合する形状の上側保持部と下側保持部及びその上側保持部と下側保持部とを連結した把手状の連結部とから成る構造としたものである。【００１６】  請求項２記載の考案は，前記山部と谷部の各々の径が，前記上端部から下端部に向かって順次小さくなっているものである。【００１７】  請求項３記載の考案は，前記折り畳み部が折り畳まれた状態で前記排出口から前記底部に亙って結束するための前記ボトル結束用バンドであって，前記排出口に被せるリング部と，そのリング部の対向する側に帯状の屈曲可能な帯で少なくともその帯の一部が重なる構造とした重なり部を備えた帯部と，その重なり部の重なったその帯同士を締結するための着脱可能な締結部を設けたものである。
【考案の効果】
【００１８】  請求項１記載の考案によれば，ウォーターディスペンサー用ボトルの胴体の外周と内周とを水平方向の環状の山部と谷部との蛇腹状の折り畳み部としたことで，そのボトルの高さ方向に縮小させることができ，使用後に空になったウォーターディスペンサー用ボトルを効率よく移動や運送することができる。【００１９】  また，そのボトル内に飲料水が充填された状態で，前記山部と谷部に嵌合する形状の取り外し可能な把手状の枠体を備えたことで，折り畳み部を備えているにも関わらずウォーターディスペンサー用ボトルを飲料水が充填された状態の形状を保持できることから，ウォーターディスペンサーに逆さにして，ボトルをウォーターディスペンサーに使用している状態では，この枠体によりボトルの変形を防止することができる。【００２０】  さらには，この枠体の連結部は把手状となっているため，この把手状の部分を手で掴むことにより，このボトルを容易に運ぶことができ，且つこのボトルをウォーターディスペンサーに逆さにして，ボトルをウォーターディスペンサーに容易に設置することもできる。【００２１】  そして，空になったボトルを再使用や廃棄のために移動や運送するとき，そのボトルの高さ方向に縮小させても，この枠体はボトル本体から取り外し可能であるため，何ら支障とならず，この枠体は，ボトルをウォーターディスペンサーに搭載するときの把手の役目として，及び搭載された状態でウォーターディスペンサーに飲料水を供給するときのボトルの変形防止の役目として使用する以外は，取り外しても構わないことから，ボトルを廃棄する際，この枠体は別のボトルに再利用可能となり，維持費用を安価にすることができる。【００２２】  請求項２記載の考案によれば，請求項１記載の山部と谷部の各々の径が，前記上端部から下端部に向かって順次小さくなっていることにより，蛇腹状の折り畳み部を高さ方向に折り畳む際，上側の山部が下側の山部を覆うことで，より小さく折り畳むことができる。【００２３】  請求項３記載の考案によれば，ボトルを折り畳んだ状態で，ボトル本体が高さ方向に戻ろうとする力を拘束する方向にバンド結束することで，ボトルの折り畳んだ状態をより安定化させることができる。
【考案を実施するための最良の形態】
【００２４】  以下，図面に基づき，この考案を実施するための最良の形態について説明する。【００２５】  図１は本考案によるウォーターディスペンサー用ボトルの正面図で，このウォーターディスペンサー用のボトル１は，ボトル本体２と枠体８とから構成される。図３はボトル本体の正面図で，ボトル本体２は円筒状で，上端部に首状の排出口３を設け，下端部は底部７となっており，ボトル本体２の胴体の外周と内周とが水平方向の環状の山部４と谷部５との蛇腹状の折り畳み部６を形成しているため，上端部から下端部に向かって手で押せば，容易に高さ方向に縮ますことができる。ボトル本体２は，例えばポリエチレン（ＰＥ）等の熱可塑性樹脂をブロー成形法で一体形成されたもので，内部に例えば容量３ガロン等の飲料水等を充填し，排出口３には，ポリエチレン（ＰＥ）製の封止キャップ２１で封止した状態で，自宅等に配達される。【００２６】  また，ボトル本体２の胴体の外周と内周とが水平方向の環状となっている山部４と谷部５の各々の径を，ボトル本体２の排出口３の在る上端部から，底面７の在る下端部に向かって順次小さくしても良い。すると，より上端部側に在る山部４−１の水平方向に環状である径が，下端部側の山部４−２の水平方向に環状である径を覆うように縮めることができるので，ボトル本体２を高さ方向に縮ます際，ボトル本体２の高さ方向に対するボトル本体２の厚みによる影響が少なくなり，より小さく折り畳むことができる。【００２７】  なお，ボトル本体２に飲料水等が充填している状態では，枠体８をボトル本体２から取り外していても（図３の状態），ボトル本体２は変形しないので，通常，自宅等に配達される際は，枠体８をボトル本体２から取り外した状態で使用する。【００２８】  図２は枠体８の斜視図で，枠体８は，合わせ目１３から左右同形の形に２分割することができる。ボトル本体２に枠体８を取り付けるには，ボルト１２を使用することで一体化することができる（図１の状態）。枠体８は，剛性，硬度，加工性，耐衝撃性，曲げ疲労性
に優れたプラスチックとして，例えばＡＢＳ樹脂で製作することができる。【００２９】  枠体８は，ボトル本体２の山部４と谷部５に嵌合する形状の上側保持部９と下側保持部１０と，上側保持部９と下側保持部１０とを連結した把手状の連結部８とから成り，各保持部９，１０には軽量化するための切り欠き部１４の切り欠き穴を備えても良い。【００３０】  枠体８は，ボトル本体２に例えばＡＢＳ製であるボルト１２で容易に取り付けるころができ（図１の状態），この状態では把手状の連結部８を手で持つことにより，飲料水の充填したボトル本体２を容易に移動することができる。【００３１】  図４は，本考案のボトルを使用した，ウォーターディスペンサーの斜視図である。ウォーターディスペンサーの構造は図８と略同一で，図８のボトル２６の代わりにボトル１を使用している。【００３２】  ウォーターディスペンサー本体２０の上面部２８に飲料水等を充填したボトル１をボトルの排出口３が下になるように逆さにして載置してある。枠体８の連結部１１は把手状となっているため，この把手状の部分を手で掴むことにより，このボトル１をウォーターディスペンサーに逆さにして，容易に載置することができる。【００３３】  図５，図６及び図７は，それぞれ結束用バンドの使用状態を示すボトルの正面図，平面図及び底面図である。ボトル本体２の折り畳み部６を折り畳んだ状態で，その折り畳んだ状態をより安定化するために結束用バンド４０を使用しても良い。【００３４】  この結束用バンド４０は柔軟性の有る合成樹脂，例えばナイロン６６やポリプロピレン等で製作することができる。結束用バンド４０は，ボトル本体２の排出口３に被せるリング部４１と，リング部４１の対向する側に帯状の屈曲可能な帯Ａ４２と帯Ｂ４３とから成っている。図６のように帯Ａ４２と帯Ｂ４３とを，リング部４１から係合部４５により分離可能とすることもできるし，係合部４５を備えずリング部４１と一体化することもできる。係合部４５は，例えばリング部４１に突起を設け，帯Ａ４２と帯Ｂ４３にはその突起に係合する穴を設けるなど，一般的な取り外し可能な締結方法によって係合部４５を達成することができる。【００３５】  図７のように，帯Ａ４２と帯Ｂ４３とが重なる構造とし，その重なった帯Ａ４２と帯Ｂ４３同士を締結するための着脱可能な締結部４４を設けることで，ボトル本体２の折り畳んだ状態を維持できることから，ボトル２の折り畳んだ状態をより安定化させることができる。この締結部４４は，例えば帯Ａ４２に突起を設け，帯Ｂ４３にはその突起に係合する穴を設けるなど，一般的な取り外し可能な締結方法によって締結部４４を達成することができる。
【産業上の利用可能性】
【００３６】  本考案は，ウォーターディスペンサー用のボトルと，そのボトルに使用されるボトル結束用バンドを製造する産業で利用される。
【図面の簡単な説明】
【００３７】
【図１】ウォーターディスペンサー用ボトルの正面図である。
【図２】枠体の斜視図である。
【図３】ボトル本体の正面図である。
【図４】本考案のボトルを使用した，ウォーターディスペンサーの斜視図である。
【図５】結束用バンドの使用状態を示すボトルの正面図である。
【図６】結束用バンドの使用状態を示すボトルの平面図である。
【図７】結束用バンドの使用状態を示すボトルの底面図である。
【図８】従来の堅牢なボトルを使用した，ウォーターディスペンサーの斜視図である。
【図９】従来の可撓性の有るボトルを使用した，ウォーターディスペンサーの斜視図である。
【符号の説明】
【００３８】  １：ボトル                          ２：ボトル本体
３：排出口                          ４：山部
５：谷部                            ６：折り畳み部
７：底面                            ８：枠体
９：上側保持部                    １０：下側保持部
１１：連結部                        １２：ボルト
１３：合わせ目                      １４：切り欠き部
２０：ウォーターディスペンサー本体  ２１：封止キャップ
２２：冷水抽出口                    ２３：温水抽出口
２４：コック                        ２５：取水口
２６：ボトル                        ２７：排出口
２８：上面部
３０：ウォーターディスペンサー本体  ３１：載置部
３２：囲み材                        ３３：コーナー部材
３４：結合穴                        ３５：視認窓
３６：給水容器                      ３７：収容函体
３８：水タンク                      ３９：結合ビス
４０：結束用バンド                  ４１：リング部
４２：帯Ａ                          ４３：帯Ｂ
４４：締結部                        ４５：係合部
【図１】
0003127762.tif 000003
【図２】
0003127762.tif 000004
【図３】
0003127762.tif 000005
【図５】
0003127762.tif 000006
【図６】
0003127762.tif 000007
【図７】
0003127762.tif 000008
【図４】
0003127762.tif 000009
【図８】
0003127762.tif 000010
【図９】
0003127762.tif 000011